(57)【要約】【課題】横線が縦線の凹部から外れ難いフェンス及びそれに用いる金網を提供すること。【解決手段】金網１は、波形凹凸部分が形成された縦線と横線が各々縦横平行に配置されてなり、縦線２は、隣接する半ピッチずれた２本線以上の横線３の凹凸部分に通されて係合され、この２本線以上の横線３を１組として、縦線に対して横線を右上がりまたは右下がりに傾斜させることで、横線３が右上がりまたは右下がりの平行四辺形に変形可能な金網１を備えたフェンスにおいて、縦線２と２本線以上の横線の組との交差部であって、その交差部における最上位に位置する横線３と縦線２との交線交差部と、最下位に位置する横線３と縦線２との交線交差部とに渡って、これらを巻回するように拘束金具２５が設置されて、縦線２に対する横線３の右上がりまたは右下がりのいずれか一方の傾斜が拘束されて、一方向の平行四辺形への変形が拘束されている。【選択図】図１
2011012518.tif 000002
【特許請求の範囲】
【請求項１】
縦線と横線が組まれた、クリンプされた線材を使用した金網からなるフェンス本体が複数の支柱間に配置されて固定されているフェンスで、
前記金網は、
波形凹凸部分が形成された縦線と横線が各々縦横平行に配置されてなり、
この２本線以上の横線を１組として、
前記横線の組が縦線に対して横線を右上がりまたは右下がりに傾斜させることで、平行四辺形に変形可能な金網を用いたフェンスにおいて、
前記縦線と２本線以上の横線の組との交差部であって、その交差部における最上位に位置する横線と縦線との交線交差部と、最下位に位置する横線と縦線との交線交差部とに渡って、これらを巻回するように拘束金具が設置されて、前記縦線に対する横線の右上がりまたは右下がりのいずれか一方の傾斜が拘束されて、一方向の平行四辺形への変形が拘束されていることを特徴とするフェンス。
【請求項２】
縦線と２本線以上の横線の組との少なくとも一つの交差部に拘束金具が設置されていることを特徴とする請求項１に記載のフェンス。
【請求項３】
縦線と２本線以上の横線の組との交差部を一つの交差部とした場合に、複数の交差部に、拘束金具がそれぞれ設置され、前記各拘束金具は、すべて同じ方向に傾斜して配置されていることを特徴とする請求項１または２に記載のフェンス。
【請求項４】
前記拘束金具は、リング状金具、Ｃ形リング状金具、結束線、ステープル、バンドのいずれかが用いられていることを特徴とする請求項１〜３のいずれか１項に記載のフェンス
【請求項５】
請求項１〜４のいずれか１項のフェンスに用いられる金網で、前記金網は、波形凹凸部分が形成された縦線と横線が各々縦横平行に配置されてなり、
この２本線以上の横線を１組として、
金網がその金網面における縦線に対して横線を右上がりまたは右下がりに傾斜させることで、横線が右上がりまたは右下がりの平行四辺形に変形可能な金網において、
前記縦線と２本線以上の横線の組との交差部であって、その交差部における最上位に位置する横線と縦線との交線交差部と、最下位に位置する横線と縦線との交線交差部とに渡って、これらを巻回するように拘束金具が設置されて、前記縦線に対する横線の右上がりまたは右下がりのいずれか一方の傾斜が拘束されて、一方向の平行四辺形への変形が拘束されていることを特徴とする金網。
【発明の詳細な説明】
【技術分野】
【０００１】
本発明は、フェンスに係り、特に、クリンプされた線材を使用した金網からなるフェンス及びこれに用いる金網に関する。
【背景技術】
【０００２】
従来、ＪＩＳ規格のクリンプ金網はフェンス用としては、使用されることがあまりなかった。というのは、クリンプ金網は、縦線と横線が隣接する波形凹凸部分に配置する構成ではなく、複数の凹凸部分を隔てた一定ピッチのピッチでかなり細かく編成されており、縦横線材どおしの拘束力が強く、わずかな傾斜地にしか対応することができなかった。また、傾斜地に対応できるように、大きなピッチで編成すると平行四辺形に変形可能で、傾斜地には対応できるが、線材どおしの拘束力が少なく、たやすく線材がずれて、金網が崩れてしまう欠点があったからである。また、かなり密に編んでいるクリンプ金網フェンスもあるが、線材どおしの拘束力が強く、わずかな傾斜地にしか対応できなかったし、密に編んだことによる景観性を目的としたフェンスであった。このクリンプ金網を傾斜地に設置するには、縦線と横線をある程度の間隔をあけて格子状に編み込み、かつ平行４辺を保って変形自在に構成し、製作時は長方形に編成した金網を施工時に平行四辺形を保って上下辺が傾斜するように変形させて傾斜地に設置するものである。
【０００３】
傾斜地対応型のクリンプ金網は前記のように編成するが、この場合、平行四辺形を保って変形可能に縦線と横線を編成するためには、その交差部にある程度の自由度を確保する必要がある。このため縦線と横線は、隣接する波形凹凸部分に配置する構成ではなく、複数の凹凸部分を隔てて位置するように編成されている。
【０００４】
傾斜地対応型の金網を用いたフェンスは、本出願人によって出願されて公開されている。前記の金網として、クリンプ加工が施されて連続して波形凹凸部分を形成した線材を縦線及び横線とし、これらの線材の波形凹凸部分を利用して特定の網目に編成した金網を用いて平地や傾斜地に設置可能としたフェンスである（例えば、特許文献１参照）。
前記のフェンスに用いられる金網は、図１２〜図１６に示すような金網（フェンス本体）１であり、その金網１の特徴としては、波形凹凸部分４，５が形成された縦線２と横線３が各々縦横平行に配置されて形成されており、前記縦線２は、隣接する半ピッチずれた２本線以上の横線３の凹凸部分に通されて係合され、この２本線以上の横線３を１組として、前記横線の組の上、および下の横線の組が互いに３ピッチ以上離れている。
前記金網１は、波形凹凸部分４，５が形成された縦線２と横線３が縦横平行に配置され、図１５（ａ）に示すように平地に設置する矩形状形態の金網１としたり、図１５（ｂ）に示すように傾斜地に設置する平行四辺形に変形した状態の金網としたり、図１６に示すように、逆方向の傾斜地に設置するために、図１５（ｂ）とは逆の平行四辺形に変形した状態の金網１とすることが可能な金網１とされている。
【０００５】
また、縦線及び横線の線材を互いに接した状態で締め付ける手段として金属製巻付形止具を適当な間隔で嵌合し、適当な工具で塑性変形させることにより締め付け状態にする技術がある（例えば、特許文献２参照）。
【先行技術文献】
【特許文献】
【０００６】
【特許文献１】特開２００６−１５２６１６号公報
【特許文献２】実公平０３−４９２５０号公報
【発明の概要】
【発明が解決しようとする課題】
【０００７】
前記従来の場合は、フェンスは傾斜地に対応可能であるが、縦線と横線が組まれた金網が、平行四辺形に変形可能になることで傾斜地に対応可能としているため、縦線および横線の各線材の傾斜変形を拘束することはなく、縦線２を縦方向に姿勢を保持した状態で横線３を右上がり（左下がり）または右下がり（左上がり）に傾斜可能であり、金網１が左右どちら側の平行四辺形にも変形するため、その運搬、施工時に金網１がそれぞれの平行四辺形に変化するようになり、これにより金網１がぐらぐら揺れ、金網１を取扱いにくいという問題があった。
特に、金網１の傾斜地等への設置場所への運搬は、最終的に作業員が担いで運ぶため、金網１が左右どちら側にも揺れた場合は、金網１の重心も動くため、金網１の重心が安定せず、これを担いだ作業員の重心も安定しなくなるため運びにくくなってしまうという問題がある。
また、緩傾斜地では、前記の金網１に鹿等の動物が衝突するような荷重が作用した場合や、前記金網１に積雪した後に雪が氷結し、その氷結雪の下側が溶けて氷結雪の荷重（沈降力）を金網が負荷する場合には、氷結雪の荷重が特に横線（および縦線）に作用するようになるため、縦線と横線、特に縦線に対して横線が縦線の凸部を超えてずれやすく、又、横線が縦線の凹部から外れやすくなるという問題があった。
本発明は前記の課題を有利に解消することができ、横線が縦線の凹部から外れ難いフェンス及びそれに用いる金網を提供することを目的とする。
【課題を解決するための手段】
【０００８】
前記の課題を有利に解決するために、第１発明のフェンスにおいては、
縦線と横線が組まれた、クリンプされた線材を使用した金網からなるフェンス本体が複数の支柱間に配置されて固定されているフェンスで、前記金網は、波形凹凸部分が形成された縦線と横線が各々縦横平行に配置されてなり、この２本線以上の横線を１組として、前記横線の組が縦線に対して横線を右上がりまたは右下がりに傾斜させることで、平行四辺形に変形可能なフェンスにおいて、前記縦線と２本線以上の横線の組との交差部であって、その交差部における最上位に位置する横線と縦線との交線交差部と、最下位に位置する横線と縦線との交線交差部とに渡って、これらを巻回するように拘束金具が設置されて、前記縦線に対する横線の右上がりまたは右下がりのいずれか一方の傾斜が拘束されて、一方向の平行四辺形への変形が拘束されていることを特徴とする。
第２発明では、第１発明のフェンスにおいて、縦線と２本線以上の横線の組との少なくとも一つの交差部に拘束金具が設置されていることを特徴とする。
第３発明では、第１発明または第２発明のフェンスにおいて、縦線と２本線以上の横線の組との交差部を一つの交差部とした場合に、複数の交差部に、拘束金具がそれぞれ設置され、前記各拘束金具は、すべて同じ方向に傾斜して配置されていることを特徴とする。
第４発明では、第１発明〜第３発明のいずれかのフェンスにおいて前記拘束金具は、リング状金具、Ｃ形リング状金具、結束線、ステープル、プラスチックバンドのいずれかが用いられていることを特徴とする。
第５発明では、第１発明〜第４発明のいずれかのフェンスに用いられる金網で、前記金網は、波形凹凸部分が形成された縦線と横線が各々縦横平行に配置されてなり、
この２本線以上の横線を１組として、金網がその金網面における縦線に対して横線を右上がりまたは右下がりに傾斜させることで、横線が右上がりまたは右下がりの平行四辺形に変形可能な金網において、前記縦線と２本線以上の横線の組との交差部であって、その交差部における最上位に位置する横線と縦線との交線交差部と、最下位に位置する横線と縦線との交線交差部とに渡って、これらを巻回するように拘束金具が設置されて、前記縦線に対する横線の右上がりまたは右下がりのいずれか一方の傾斜が拘束されて、一方向の平行四辺形への変形が拘束されていることを特徴とする金網。
【発明の効果】
【０００９】
本発明によると、拘束金具により線材の交差部が一方向のみ拘束されているため、金網が左右の片側にしか平行四辺形に傾かなくなり、金網が平行四辺形に変形する方向が決まるので、金網の取り扱い性の向上を図ることができ、作業員により工場から傾斜地を含む現場まで運搬する場合に、金網を容易に安定した状態で運搬することができ、また、作業員も安定した姿勢で運搬することができる。また、運搬中に、金網は大きく逆方向の平行四辺形に変形することはないので、従来の場合の金網に比べて、金網の重心の移動が大きく変化することはなく、安定した状態で金網を設置することができる。
また、拘束金具を備えた金網を設置したフェンスにおける金網に、鹿等の動物が衝突したり、積雪後の氷結により氷結雪の大きな荷重が作用しても、拘束金具により縦線と２本以上の横線の組の交差部が拘束されているため、氷結雪を確実に支持でき、縦線に対して横線がずれることはない。
また、拘束金具は、リング状金具、Ｃ形リング状金具、結束線、ステープル、バンドのいずれかの簡単なものを用いることができるので、安価な金網あるいはフェンスとすることができる。
【図面の簡単な説明】
【００１０】
【図１】（ａ）は、本発明のフェンス本体を構成するクリンプされた線材を使用し、一方向の傾斜が拘束された金網の正面図、図（ｂ）は、側面図、図（ｃ）は、図（ｂ）のＡ部の詳細図である。
【図２】図（ａ）は、図１（ａ）のＢ部の拡大図、図（ｂ）は、図２（ａ）のＣ−Ｃ断面図、図（ｃ）は、図２（ａ）のＤ−Ｄ断面図である。
【図３】図（ａ）は、フェンス本体の一部の斜視図、図（ｂ）は、縦線と横線の線径と波形凹凸部分の深さ（ｈ）の関係を示す説明図である。
【図４】図（ａ）は、図１のフェンス本体を平地に設置する場合の正面図、図（ｂ）は、同図（ａ）のフェンス本体の平行四辺形を保持して変形させて傾斜地に設置する場合の正面図である。
【図５】図（ａ）（ｂ）は、図１〜図４に示すフェンス本体で構成したフェンスを平地に設置した状態を示す正面図と側面図である。
【図６】図（ａ）（ｂ）は、図５のＥ部詳細図、図（ｃ）（ｄ）は、図５のＦ部詳細図、図（ｅ）（ｆ）は、図５のＧ部詳細図である。
【図７】図（ａ）は、上部胴縁とフェンス本体（クリンプ金網）の連結構造を示す正面図、（ｂ）は（ａ）の側面図、（ｃ）（ｄ）は、フェンス本体端部の支柱への取り付け部の詳細図、（ｅ）（ｆ）は、フェンス本体下部における端部の支柱への押さえ構造の詳細図である。
【図８】本発明において使用するＣ形リング状金具からなる拘束金具を示すものであって、（ａ）は拘束金具をかしめ固定する前の状態の正面図、（ｂ）は側面図、（ｃ）は、拘束金具にオフセット角を設ける場合の平面図である。
【図９】図（ａ）は、本発明のフェンス本体を構成するクリンプされた線材を使用し、一方向の傾斜が拘束された他の形態の金網の正面図、図（ｂ）は、側面図、図（ｃ）は、図（ｂ）のＡ部の詳細図である。
【図１０】図（ａ）は、図９（ａ）のＢ部の拡大図、図（ｂ）は、図９（ａ）のＥ−Ｅ断面図、図（ｃ）は、図９（ａ）のＦ−Ｆ断面図である。
【図１１】図９に示すフェンス本体の一部の斜視図である。
【図１２】図（ａ）は、従来のフェンス本体を構成するクリンプされた線材を使用した金網の正面図、図（ｂ）は、側面図、図（ｃ）は、図（ｂ）のＡ部の詳細図である。
【図１３】図（ａ）は、図１２（ａ）のＢ部の拡大図、図（ｂ）は、図１２（ａ）のＧ−Ｇ断面図である。
【図１４】図（ａ）は、フェンス本体の一部の斜視図、図（ｂ）は、縦線と横線の線径と波形凹凸部分の深さ（ｈ）の関係を示す説明図である。
【図１５】図（ａ）は、図１２のフェンス本体を平地に設置する場合の正面図、図（ｂ）は、同図（ａ）のフェンス本体の平行四辺形を保持して変形させて傾斜地に設置する場合の正面図である。
【図１６】図１５（ｂ）とは逆方向の平行四辺形に変形させて傾斜地に設置する場合の正面図である。
【図１７】本発明において使用する止め金具の作用を説明するための説明図である。
【図１８】本発明において使用する止め金具の作用を説明するための説明図である。
【発明を実施するための形態】
【００１１】
次に、本発明を図示の実施形態に基づいて詳細に説明する。
【００１２】
図１（ａ）は、本発明のフェンス本体を構成するクリンプされた線材を使用し、縦線と２本線以上の横線の組における縦線と２本線以上の横線との交差部に拘束金具が設置されて、横線の上下一方向の傾斜が拘束された金網の正面図、（ｂ）は、側面図、（ｃ）は、図（ｂ）のＡ部の詳細図、図２（ａ）は、図１（ａ）のＢ部の拡大図、図２（ｂ）は、図２（ａ）のＣ−Ｃ断面図、図３（ａ）は、図２（ａ）の斜視図、図３（ｂ）は、縦線と横線の線径と波形凹凸部分の深さ（ｈ）の関係を示す説明図である。図４（ａ）は、図１のフェンス本体を平地に設置する場合の正面図、図４（ｂ）は、図１（ａ）のフェンス本体につき平行四辺形を保持して変形させて傾斜地に設置する場合の正面図である。
【００１３】
図５（ａ）（ｂ）は、図１〜図４に示すフェンス本体（クリンプ金網）で構成したフェンスを平地に設置した状態を示す正面図と側面図、図６、図７は、図５のフェンスにおける各部の連結構造の部分図である。 
図８は、本発明において使用するＣ形リング状金具からなる拘束金具２５を示すものであって、（ａ）は拘束金具の正面図、（ｂ）は側面図、（ｃ）は、拘束金具にオフセット角を設ける場合の平面図である。
【００１４】
先ず、図１〜図４に示す本発明において使用するクリンプ金網については、図１２〜図１６に示す従来の場合と同様な要素が多いので、同様な要素には同様な符号を付して、最初に説明する。
【００１５】
図１〜図４に示すように、フェンス本体（クリンプされた線材を使用した金網）１は複数本の縦線２と横線３を格子状に編成して構成される。縦線２と横線３の各線材は、凹部４と凸部５を持った波状の線材であり、この線材で構成した縦線２と横線３を一定の目合に配列して編み上げた金網として構成されている。図１においては、両側部の縦線２がフェンス本体１の両側部を構成し、最上部の横線３と最下部の横線３がフェンス本体１の上部と下部を構成し、両側部の縦線２と最上部と最下部の横線３とで囲まれる長方形の枠の内側に複数本の縦線２と２本一組の横線３を一定の目合に配列して編み上げた金網として構成されている。
【００１６】
本実施形態の主要素は、フェンス本体１の両側部を構成する縦線２ａと、最上部と最下部を構成する横線３ａが、それぞれ相手側の縦線２ａと横線３ａの連続した隣接の波形凹凸部分に通される構成としたことである。
【００１７】
図２、図３によってさらに説明すると、フェンス本体１の２本の側部縦線２ａの凹部４と凸部５は、下部横線３ａの凸部５と凹部４に直交して係合している。このように２本１組の側部縦線２ａと下部横線３ａが絡み合って四方枠６が形成されて、相互にずれないように編み込まれている。このような四方枠６がフェンス本体１の四隅部に形成されることで、フェンス本体１の長方形の４辺が安定して組まれることになる。隣り合う側部縦線２ａ、下部横線３ａは、それぞれ波形凹凸部分が半ピッチずれて配置されことで、相手側の線材の隣接する凸部５と凹部４で絡み合うように編み込まれる。
すなわち、上部および下部並びに各側縁部では、縦線２および横線３は、それぞれ２本で一組とされ、各縦線２および各横線３はそれぞれ半ピッチずれて編み組みされ、各横線３は各縦線２の波ピッチに対して半ピッチずれて編み組みされ、２本一組として網組みされた各横線３の波の凹凸部分により縦線２を表裏から抱き込むように編み組みされ、同様に、横線３を２本一組として網組みされた各縦線２の波の凹凸部分により横線３を表裏から抱き込むように編み組みされている。
また、上下方向の中間部では、上下方向に間隔をおいた横線３が２本で一組とされ、各横線３は縦線２の波ピッチに対して半ピッチずれて編み組みされ、２本一組として網組みされた各横線３の波の凹凸部分により縦線を表裏から抱き込むように編み組みされている。
側部縦線２ａと下部横線３ａは、少なくとも２本以上が連続して隣接する凸部５と凹部４に編み込まれるようになっていれば、３本以上であっても構わないが、理想的には２本乃至４本が望ましい。
左右方向の各１本の縦線２は、少なくとも２本以上の横線３（３ａまたは３ｂ）により縦線２を表裏から抱き込むように編み込まれている。
【００１８】
フェンス本体１４の辺に位置する２本１組の両側部縦線２ａと上下部横線３ａに対して、その内側に複数の中間部縦線２ｂと中間部横線３ｂが編みこまれる。図において中間部横線３ｂは上下に隣接する２本１組をなし、かつ、上下に間隔をあけて複数段配設されており、その両端は、２本１組の両側部縦線２ａの上下に隣接する凹部４と凸部５の間に配置される。このように２本１組の中間部横線３ｂと側部縦線２ａが絡み合って四方枠６が形成されることにより、側部縦線２ａに対して中間部横線３ｂは安定して組み込まれてずれることがない。特に、２本１組の中間部横線３ｂは、上下方向に間隔をおいて配設されていても、両端部が側部縦線２ａにしっかりと安定して支持される。中間部横線３ｂは、さらに線材の本数を増減してもよく、何れの場合も、端部は２本１組の両側部縦線２ａの隣接する凹部４と凸部５によって安定に係止される。
【００１９】
複数の中間部縦線２ｂは、多段に設けられた２本１組の中間部横線３ｂの横方向に隣接する凹部４と凸部５の間に係合して上下方向に伸長して設けられ、さらに、中間部縦線２ｂの下端部および上部は、２本１組の上下部横線３ａの横方向に隣接する凹部４と凸部５の間に配置される。このように中間部縦線２ｂが２本１組の中間部横線３ｂと上下部横線３ａに挟まれてずれないように支持されることで、フェンス本体１が安定して編成される。複数配設される中間部縦線２ｂの横方向の間隔は任意であるが、中間部横線３ｂの凹部４と凸部５の３ピッチ以上離れた配置に設けるのがよい。また、両側部縦線２ａと中間部縦線２ｂの下端部は、最下段の下部横線３ａより下方に延長して地盤への埋設部とされていてもよい。
【００２０】
各縦線２および横線３の線径は、波形の凹部４の深さ（ｈ）以下に設けるのが望ましい。このように構成することにより縦線２と横線３は、相手側の縦線２と横線３の波形の凹部４内に納まって係合するので、凹部４から脱出しにくく安定した編成となると共に美観も向上する。また、縦線２と横線３は、例えば４Φｍｍの線径を規準として、線径（ｄ）と波形の凹部の深さ（ｈ）とピッチ（ｐ）は、略２：４：５に設けるのがよく、このように構成すると隣接する波形凹凸部分に互いに係合する縦線２と横線３は、互いに係合する相手側の線材の軸線方向にずれることがなく、しかも、前記線径に対して余裕を持たせて深さ（ｈ）とピッチ（ｐ）を設定しているため、縦線２と横線３とは互いに回動自在となる。即ち、縦線２と横線３の交差部を支点として、平行四辺形を保って円滑に変形できる。
【００２１】
例えば、縦線２を鉛直にした状態で、図４（ｂ）に示すように、右上がりの平行四辺形に変形させたり、図１６に示すように、右下がりの平行四辺形に変形させることができるが、このような両方向の変形が可能であると、山あいに建設された高速自動車道路や幹線鉄道線路などの傾斜地に作業員が金網を搬送する時に、両方向の平行四辺形への変形が生じると、金網の重心が変動し、搬送作業が煩雑になる。
そこで、本発明では、図８に示すような拘束金具２５を、少なくとも１つ、または複数個、金網１に取り付けることで、一方向の平行四辺形への変形を拘束し、作業員の金網の搬送あるいは設置作業時の取り扱い性を向上させ、フェンスの組立作業性を向上させるようにしている。
具体的には、図１８に示すように、中間部縦線２ｂ（以下、単に縦線２ともいう）と中間部横線３ｂ（以下、単に横線３ともいう）が組まれた、クリンプされた線材を使用した金網は、波形凹凸部分が形成された縦線２と横線３が各々縦横平行に配置され、前記縦線２は、隣接する半ピッチずれた２本線以上の横線３の凹凸部分に通されて係合され、この２本線以上の横線３を１組として、前記横線３の組の上、および下の横線３の組が互いに３ピッチ以上離れて、金網１が縦線２に対して横線３を右上がりまたは右下がりに傾斜させることで、横線が右上がりまたは右下がり傾斜し、平行四辺形に変形可能な金網１を用いたフェンスにおいて、前記縦線２と２本線以上の横線３の組との交差部２６であって、その交差部２６における最上位に位置する横線３と縦線２との交線交差部２７と、最下位に位置する横線３と縦線２との交線交差部２７とに渡って、これらを巻回するように拘束金具２５が設置されて、前記縦線に対する横線の右上がりまたは右下がりのいずれか一方の傾斜が拘束されて、一方向の平行四辺形への変形が拘束されている金網１を用いたフェンス１０とされている（詳細は後記する）。
【００２２】
前記のように拘束金具２５が設置されて、前記縦線２に対する横線３の右上がりまたは右下がりのいずれか一方の傾斜が拘束されて、左右一方向の平行四辺形への変形が拘束され、左右他方向の平行四辺形への変形が可能にされている金網１とされている。
例えば、横線３が、右上がりまたは右下がりの両方向へそれぞれ、約３０°傾斜した平行四辺形への変形が可能な金網１が、ほぼ右上がりのみ、または右下がりのみに約３０°横線３を傾斜させて平行四辺形への変形が可能な金網１とされている。
【００２３】
前記の拘束金具２５の作用について、原理を図１７を参照してさらに説明すると、金網１は縦線２と横線３の交差部を支点として縦線２と横線３を傾斜させることで、平行四辺形を保って円滑に変形できるが、縦線２と横線３をこれらの交線交差部２７を支点として図１７（ｂ）に示すように回動させた場合、交線交差部２７での縦線２と横線３との一方の対頂角方向の重なり幅Ａは広がろうとするのに対し、他方の対頂角方向の重なり幅Ｂは狭くなる。
この時、Ｃ字形リング状金具２５ａを交差部に巻回させるように配置してかしめ固定することにより、Ｏ字形リング状金具にした拘束金具２５である、交線交差部２７を拘束すると、Ｏリング金具の内径Ｃ（一方の対頂角方向の幅）より一方の対頂角方向の幅Ａは広がることができないため、横線３は時計回りに対し、ほとんど回転できなくなる。
しかし、反時計回りには、Ｏリング金具により拘束されていないため回転することができるので、金網は平行四辺形に変形することができるので、傾斜に対応することができる。この様に金網が左右のどちらか一方にしか動かないので、運搬時に持ち運びやすくなる。また、この金網には表裏がないため左右のどちらか一方に動かすことができれば、逆傾斜の勾配に対しては反転配置することで、傾斜に対応することができる。
本発明では、２本以上の横線３に亘って拘束金具２５を用いているため、対頂角方向とはならず、図１８に示すように、縦線２と２本線以上の横線３との交差部２６、すなわち、交差部２６における最上位に位置する横線３と縦線２との交線交差部２７の矩形領域と、最下位に位置する横線３と縦線２との交線交差部２７の矩形領域とを結ぶ全体の交差部２６の矩形領域においては、各横線３が傾斜した場合に、交差部２６の矩形領域では、その交差部２６の矩形領域の対角方向の幅Ａ（図１８ａ参照）から幅Ａ２（図１８ｂ参照）への幅変化が、図１７の場合よりも大きくなり、横線３の時計方向（一方向）への傾斜を拘束する度合が大きくなる。実施形態において、前記交差部２６を一つの交差部とした場合に、複数の交差部２６に拘束金具２５を設けるようにしている。
前記のほぼＯリング状金具またはＣ形リング状金具からなる拘束金具２５を用いる場合に、図８（ａ）に示すように、オフセット角θを設けるようにしてもよく、このようにすると、後記の交差部２６における矩形領域の対角方向に巻回させるようにかしめ固定する場合に、拘束金具２５の両端部が干渉することなく、容易に巻回させるようにかしめることができる。
【００２４】
図示の形態では、間隔をおいた上部と下部のそれぞれ２本１組の横線３に対して、左右方向の中央部と左右両側に拘束金具２５が設置されている。
【００２５】
拘束金具２５は、図８に示す拘束金具２５を、図１〜図５に示すように、複数の交差部２６すべて同じ方向に傾斜して配置することで、金網１の一方向の平行四辺形への変形を可能にしている。
【００２６】
前記の金網１は、表側と裏面側が同様な形態であるから、一方向の平行四辺形への変形を拘束しても、表側または反転して裏面側を用いることで、右上がりの道路縦断勾配の場合、あるいは右下がりの道路縦断勾配の傾斜地でも対応可能である。
【００２７】
前記の拘束金具２５としては、ほぼリング状の鋼線を用いたリング状金具あるいはＣ形リング状金具を用いてもよく、あるいはこれらを図示のように、前記交差部２６における矩形領域における対角方向に巻回させるように、Ｃリング締結装置等の電動または手動式ホッグリング締結装置により、かしめ固定するようにしてもよく、結束線を用いて前記対角方向に巻回させて結束してもよく、これ以外にも、ステープルを用いて結束装置により対角方向に設置してもよく、あるいは締め込み金具付の締め付けバンド（例えば、プラスチック製バンド金具）を用いて手作業により設置してもよい。
【００２８】
前記のように金網１は、横線３の一方向（時計方向、右下がり）への傾斜が拘束されて、金網１の一方向の平行四辺形への変形が拘束されているため、金網１の重心の移動が小さくなり、適宜、金網１を他方向の平行四辺形に変化させた状態で搬送することで、金網１の搬送、および取り扱い性が向上し、作業員は安定した状態で、金網１を搬送設置することができる。
【００２９】
前記のフェンス本体１は、平地に設置するときは、図５（ａ）に示すように縦線２と横線３が直角に交わる長方形の状態で配置できると共に、傾斜地に設置するときは、図４（ｂ）に示すように、拘束金具２５により平行四辺形に変形が拘束されない方向に、フェンス本体１の両側を上下反対に移動させることで、フェンス本体１につき平行四辺形を保持して、つまり、縦線２につき鉛直方向に配向している状態を保持してフェンス本体１の上下部を傾斜させることができる。この場合、縦線２と横線３とが回動自在となるように、凹部４と凸部５の深さ（ｈ）、ピッチ（ｐ）を線径に対して余裕を持たせて設定しておくことにより、両線材の凹部４と凸部５が係合を保持したまま回動することで矩形状態から傾斜状態にスムーズに変形できる。
【００３０】
しかも、縦線２と横線３は上下と左右に適度の間隙を置いて配設されているにも拘わらず、フェンス本体１の上下左右の周辺部は、２本１組の縦線２と横線３が隣接する波形の凹部４と凸部５に係合することで安定して組まれているので、全体の線材が安定し、ずれることがない。しかも、拘束金具２５により、一方向の平行四辺形のみに変形することが許容されているのみであり、予め工場において、拘束金具２５を設置することができる。したがって、製作から梱包、運搬、施工までの間の取り扱いによって、縦線・横線が崩れるという不具合がないばかりでなく、金網１の取り扱い性が格段に向上している。
【００３１】
フェンス本体１は  図５に示すように、所定の間隔で地盤７に立設された支柱８に取り付けてフェンス１０を構成する。図５〜図７によって説明すると、支柱８はハット型の横断面であり、下端部が地盤７に構築したコンクリート基礎１１に埋設されている。隣接する支柱８の間にアングル材からなる上部胴縁１２が架設され、フェンス本体１の上部はこの上部胴縁１２に固定される。フェンス本体１の両側部は支柱１に固定金具を用いて固定される。
【００３２】
各部の構成を順に説明すると、図６（ａ）に示すようにアングル材からなる上部胴縁１２の垂直部は、支柱８に上向きに切り起こした爪１３に係止され、水平部は支柱８の上部を横方向に貫通する取り付けボルト１４の先端に設けられた胴縁取付金具１５にて係止されている。また、図７（ａ）に示すように、フェンス本体１の２本１組の上部横線３ａは、上部胴縁１２の垂直部の内側面が当てがわれ、隣り合う中間部縦線２ｂの間において、金網取付金具１６にて押さえられ、該金網取付金具１６を貫通するボルト１７を介して上部胴縁１２に固定されている。また、図７（ｅ）、（ｆ）に示すように所定長さの上部胴縁１２の端部は、段差部のある一方の胴縁の端部に重ね合わせ、固定ボルト１８にて固定することでフェンスに設置長さに渡って連続して構成される。
【００３３】
２本１組で多段に設けられた中間部横線２ｂは、支柱８に対して、図５Ｆ部、Ｇ部に示す金具を用いて固定されている。図５のＦ部の金具は、その詳細を示す図６（ｃ）（ｄ）に示すように、ハット型断面の支柱８の両側の鍔部に隣接するフェンス本体１の中間部横線３ｂの端部と側部縦線２ａとが当てがわれ、押さえ金具１９で左右側が同時に押さえられる。この押さえ金具１９には、支柱８を抱持したＵボルト２０の両端が挿通しており、ナット２１を締結することで、押さえ金具１９を介して、フェンス本体１の両側部を支柱８に固定している。また、図５のＦ部では、ハット型断面の支柱８の頂部を貫通する固定ボルト２３が押さえ金具２２を挿通している。したがって、ボルト２３にナット２４を締結することで押さえ金具２２を介して、フェンス本体１の両側部が支柱８に重ね合わされた状態で固定されている。このように図５のＦ部とＧ部の固定手段を適宜に組み合わせてフェンス本体１の両側部を支柱８に固定されている。この固定手段は、フェンス本体１を平地と傾斜地の何れに設置するときも、共通に適用できる。フェンス本体１を支柱８に固定したとき、最下段の下部横線３ａから突出した縦線３の下端部は地盤７に埋設される。
【００３４】
本実施形態のフェンス１０は、波形凹凸部分が形成された縦線２と横線３が縦横平行に配置されてなり、縦線２は、隣接する半ピッチずれた２本以上の横線３の凹凸部分に通されて係合されている。また、縦線２の間隔と横線３の間隔は適度の余裕を持たせて配置されていて動物の進入を阻止できると共に、長方形のフェンス本体１を平行四辺形を保って適宜の傾斜に変形させることで、施工現場にて平地および傾斜地に容易に対応させることができる。しかも、このフェンス本体１は、製作、梱包、運搬、施工の間の取り扱いによっても、縦線２と横線３の編成が崩れることがなく、平行四辺形への変形の一方向であるから、金網１に表側も裏側もないから表裏を同様に扱うことができ、取り扱いと施工性が一層向上する。なお、中間部の縦線２ｂと横線３ｂの本数や配置の間隔などは設置状況に適応するように変更して構わない。
【００３５】
前記のように拘束金具２５を取り付けた金網１を用いたフェンス１０では、金網１に鹿等の動物が衝突するような荷重が作用した場合、その衝突荷重を金網が負荷するようになっても、拘束金具２５により、縦線２と横線３が拘束されて、縦線２と横線３がずれることはなく、また、拘束金具２５を設けた部分では、横線３が縦線２の凹部から外れることがない。
【００３６】
また、前記のように拘束金具２５を取り付けた金網１を用いたフェンス１０では、これを積雪地域に設置し、前記金網１に雪が付着するように積雪しその後に雪が氷結し、その氷結雪の地表面側が溶けて、氷結雪の荷重が金網１に作用する場合には、氷結雪の荷重が横線３に作用するようになるが、縦線２と横線３が拘束金具２５により拘束されているためにずれることはなく、又、横線３が縦線２の凹部から外れることはない。
【００３７】
図９〜図１１は、拘束金具２５を設置する場合に、縦線２が１本または複数本と、横線３が３本以上との交差部２６に配置してもよいことを示すための代表形態を示す図である。
図９から図１１に示すような横線３が３本の場合では、横線３が傾斜した場合に、最上位の横線３と縦線２との交線交差部２７と最下位の横線３と縦線２との交線交差部２７とを含む交差部２６では、その交差部２６の矩形領域における対角方向の幅の変化が、図１８の場合よりも大きくなり、横線３の時計方向（一方向）への傾斜を拘束する度合が大きくなる。このことは、横線３の本数が多くなるほど、横線３の時計方向（一方向）への傾斜を拘束する度合が大きくなるが、横線３の本数が多くなると経済的でなくなる。
【００３８】
前記実施形態では、左右方向の中間部の縦線２は、左右方向に間隔をおいてそれぞれ１本配置する形態を示したが、２本あるいは複数本配置する形態でもよい。また、拘束金具２５の配置形態は、図示以外にも、上端側あるいは下端側の交差部に設置してもよく、拘束金具２５を少なくとも１箇所、好ましくは、複数個所、例えば、４箇所あるいは図示のように６箇所の交差部に設置するとよい。
【００３９】
本発明を実施する場合、拘束金具２５を前記の対角方向に配置して、巻回して強固に固定するようにすると、他方向の平行四辺形に変形してしまう恐れがあるので、多少、緩くかしめ固定するようにするのがよい。一方向への平行四辺形への変形を大きく拘束しているものであれば、一方向への平行四辺形への微小変形をするものであってもよい。
【００４０】
本発明を実施する場合、縦線と横線が交差する部分では、クリンプ加工され、それ以外の部分では、直線状の線材を用いてもよいが、氷結雪を支持する上では、全長がクリンプ加工された線材であるほうが、氷結雪の保持効果が大きい。
また、結束金具２５は、氷結雪を支持し、結束金具２５に作用する雪荷重（沈降力）を、横線または縦線に伝達することが可能である。
なお、道路縦断勾配のない部分においては、金網を平行四辺形にする必要がないから、クリンプ線材からなる１枚の金網において、縦線と２本線以上の複数の横線との交差部に、結束金具２５を右下がり傾斜状態に設置すると共に、他の交差部において結束金具２５を左下がり傾斜状態に設置すると、金網は両方向の平行四辺形になるのを防止できる。
すなわち、金網にある縦線と横線（２本線以上の横線）との交差部が多数あるので、結束金具２５を交差部の矩形領域の対角方向の一方向に傾斜させて設置した場合は、一方向の平行四辺形への変形を拘束し、さらに、結束金具２５を他方向に傾斜させて設置した場合は、他方向への平行四辺形への変形をも拘束し、左右両方向への平行四辺形に変形するのを拘束する。
【００４１】
本発明を実施する場合、金網１の上部または下部に、縦線２を突出させるように伸ばして、縦線２のみに胴縁を取り付けて、胴縁付きの金網としてもよい。
【符号の説明】
【００４２】
１  フェンス本体
２  縦線
２ａ  側部縦線
２ｂ  中間部縦線
３  横線
３ａ  上部と下部の横線
３ｂ  中間部の横線
４  凹部
５  凸部
６  四方枠
７  地盤
８  支柱
１０  フェンス
１１  コンクリート基礎
１２  上部胴縁
１４  取り付けボルト
１５  胴縁取付金具
１６  金網取付金具
１７  ボルト
１８  ボルト
１９  押さえ金具
２０  Ｕボルト
２１  ナット
２２  押さえ金具
２３  固定ボルト
２４  ナット
２５ａ  Ｃ字形リング状金具
２６  交差部
２７  交線交差部
【図１】
2011012518.tif 000003
【図２】
2011012518.tif 000004
【図３】
2011012518.tif 000005
【図４】
2011012518.tif 000006
【図５】
2011012518.tif 000007
【図６】
2011012518.tif 000008
【図７】
2011012518.tif 000009
【図８】
2011012518.tif 000010
【図９】
2011012518.tif 000011
【図１０】
2011012518.tif 000012
【図１１】
2011012518.tif 000013
【図１２】
2011012518.tif 000014
【図１３】
2011012518.tif 000015
【図１４】
2011012518.tif 000016
【図１５】
2011012518.tif 000017
【図１６】
2011012518.tif 000018
【図１７】
2011012518.tif 000019
【図１８】
2011012518.tif 000020